(57)【要約】【課題】本発明は、各公衆陸上移動通信網の緊急コールに関する情報を予め受信し、移動通信端末のために緊急コールを支援する公衆陸上移動通信網および基地局をより速くて正確に選択することのできる移動通信端末の緊急コール支援方法およびその移動通信端末を提供する。【解決手段】本発明は、各公衆陸上移動通信網から緊急コールに関する情報を受信し、端末の現在の状態に応じて前記公衆陸上移動通信網から限定サービスを得るために前記公衆陸上移動通信網の基地局にキャンプオンが必要か否かを判断し、前記限定サービスを得るためにキャンプオンが必要であると判断されれば、前記情報に基づいて前記移動通信端末のために緊急コールを支援する公衆陸上移動通信網を選択し、前記選択された公衆陸上移動通信網の基地局にキャンプオンすること、を含む移動通信端末の緊急コール支援方法を提供する。【選択図】図２
2011125002.tif 000002
【特許請求の範囲】
【請求項１】
各公衆陸上移動通信網から緊急コールに関する情報を受信し、
端末の現在の状態に応じて前記公衆陸上移動通信網から限定サービスを得るために前記公衆陸上移動通信網の基地局にキャンプオンが必要か否かを判断し、
前記限定サービスを得るためにキャンプオンが必要であると判断されれば、前記情報に基づいて前記端末のために緊急コールを支援する公衆陸上移動通信網を選択し、
前記選択された公衆陸上移動通信網の基地局にキャンプオンすること、
を含むことを特徴とする移動通信端末の緊急コール支援方法。
【請求項２】
前記情報は、ブロードキャストチャネルを介して受信されることを特徴とする請求項１に記載の移動通信端末の緊急コール支援方法。
【請求項３】
前記情報は、各公衆陸上移動通信網の緊急コール支援の有無、支援時に許容する移動通信端末の種類、支援可能な移動通信端末の数のうち少なくとも１つを含むことを特徴とする請求項１に記載の移動通信端末の緊急コール支援方法。
【請求項４】
前記移動通信端末の種類は、現在の通信ネットワークに登録を成功してノーマルサービスが提供されるノーマル端末、現在の通信ネットワークに登録は失敗したが有効ＩＭＳＩ情報を有する有効ＩＭＳＩ端末、ＳＩＭカードが取り付けられていない端末、有効でないＳＩＭカードが取り付けられた端末のうち少なくとも１つ以上を含むことを特徴とする請求項３に記載の移動通信端末の緊急コール支援方法。
【請求項５】
前記キャンプオンすることは、前記選択された公衆陸上移動通信網の基地局が複数である場合、信号の受信強度が最も大きい基地局にキャンプオンすることを特徴とする請求項１に記載の移動通信端末の緊急コール支援方法。
【請求項６】
各公衆陸上移動通信網から緊急コールに関する情報を受信する受信部と、
端末の現在の状態に応じて前記公衆陸上移動通信網から限定サービスを得るために前記公衆陸上移動通信網の基地局にキャンプオンが必要か否かを判断する判断部と、
前記受信された情報に基づいて前記移動通信端末を許容して緊急コールを支援する公衆陸上移動通信網を選択する選択処理部と、
前記選択された公衆陸上移動通信網の基地局にキャンプオンするキャンプオン処理部と、
を含むことを特徴とする移動通信端末。
【請求項７】
前記受信部は、前記情報は、ブロードキャストチャネルを介して受信することを特徴とする請求６に記載の移動通信端末。
【請求項８】
前記情報は、各公衆陸上移動通信網の緊急コール支援の有無、支援時に許容する移動通信端末の種類、支援可能な移動通信端末の数のうち少なくとも１つを含むことを特徴とする請求項６に記載の移動通信端末。
【請求項９】
前記端末の種類は、現在の通信ネットワークに登録を成功してノーマルサービスが提供されるノーマル端末、現在の通信ネットワークに登録は失敗したが、有効ＩＭＳＩ情報を有する有効ＩＭＳＩ端末、ＳＩＭカードが取り付けられていない端末、有効でないＳＩＭカードが取り付けられた端末のうち少なくとも１つ以上を含むことを特徴とする請求項８に記載の移動通信端末。
【請求項１０】
前記キャンプオン処理部は、前記選択された公衆陸上移動通信網の基地局が複数である場合、信号の受信強度が最も大きい基地局を前記キャンプオンする基地局に決めることを特徴とする請求項６に記載の移動通信端末。
【発明の詳細な説明】
【技術分野】
【０００１】
本発明は、移動通信端末の緊急コール支援方法およびその移動通信端末に関し、詳細には、端末を許容するＰＬＭＮ（Ｐｕｂｌｉｃ  Ｌａｎｄ  Ｍｏｂｉｌｅ  Ｎｅｔｗｏｒｋ：公衆陸上移動通信網）およびそのＰＬＭＮの基地局を選別してキャンプオン（ｃａｍｐ  ｏｎ：相手先が通信中である場合、その通信終了後に相手先を呼び出す機能）する移動通信端末の緊急コール支援方法およびその移動通信端末に関する。
【背景技術】
【０００２】
従来の端末は、緊急コールの動作が必要な場合、複数の基地局への緊急コールのための登録要請（ｅｍｅｒｇｅｎｃｙ  ａｔｔａｃｈ  ｒｅｑｕｅｓｔ）を数回行って自身に緊急コールを支援するＰＬＭＮを探して該当ＰＬＭＮの基地局にキャンプオンする。
【０００３】
上述の従来の端末の動作を図１に示す
【０００４】
図１では、端末１０は、有効でないＳＩＭ(Ｓｕｂｓｃｒｉｂｅｒ  Ｉｄｅｎｔｉｔｙ  Ｍｏｄｕｌｅ)カードが取り付けられた場合を示す。
【０００５】
したがって、端末１０は、有効でないＳＩＭカードが取り付けられたことを検出して従来の緊急コール処理過程を実行し始める。
【０００６】
まず、端末１０は、それぞれＰＬＭＮ(１)、ＰＬＭＮ(２)、ＰＬＭＮ(３)、ＰＬＭＮ(４)に接続された複数の基地局２０、３０、４０、５０のうち、例えば、受信強度が最も大きい基地局２０に緊急コールのための登録要請メッセージを送信する。しかし、基地局２０は、ローカルＰＬＭＮ(１)のポリシー上、緊急コールを支援しないため、端末１０に拒否（ｅｍｅｒｇｅｎｃｙ  ｒｅｊｅｃｔ）メッセージを送信する。
【０００７】
その後、端末１０は、残る基地局３０〜５０のうち受信強度が大きい基地局３０に緊急コールのための登録要請メッセージを送信する。しかし、基地局３０は、ローカルＰＬＭＮ(２)のポリシー上、緊急コールを支援するが、ノーマルモードの端末にだけ緊急コールの登録を許容するため、拒否メッセージを端末１０に送信する。
【０００８】
その後、端末１０は、残る基地局４０、５０のうち受信強度が大きい基地局４０に緊急コールのための登録要請メッセージを送信する。しかし、基地局４０はローカルＰＬＭＮ(３)のポリシー上、有効ＩＭＳＩ（Ｖａｌｉｄ  Ｉｎｔｅｒｎａｔｉｏｎａｌ  Ｍｏｂｉｌｅ  Ｓｔａｔｉｏｎ  Ｉｄｅｎｔｉｔｙ）端末に限って緊急コールを支援するため、拒否メッセージを端末１０に送信する。
【０００９】
また、端末１０は、残った基地局５０に緊急コールのための登録要請メッセージを送信する。基地局５０はローカルＰＬＭＮ(４)のポリシー上、全ての端末に対して緊急コールを支援するため、承認（ｅｍｅｒｇｅｎｃｙ  ａｃｃｅｐｔ）メッセージを端末１０に送信する。
【００１０】
その結果、端末１０は、基地局５０に対して緊急コール設定（ｅｍｅｒｇｅｎｃｙ  ｃａｌｌ  ｓｅｔｕｐ）要請を行なうことができる。
【００１１】
このように、従来の緊急コール処理では、端末１０は、各ＰＬＭＮおよび各ＰＬＭＮの基地局に対して緊急コールのための登録要請を繰り返し行って、端末１０に対して緊急コールを支援するＰＬＭＮとその基地局を探索しなければならないという不具合がある。
【００１２】
特に、端末１０にＳＩＭカードが取り付けられていないか、あるいは有効でないＳＩＭカードが挿入された場合、端末１０は、ノーマルサービス（ｎｏｒｍａｌ  ｓｅｒｖｉｃｅ）の提供を受けるためのネットワーク登録手続きが行なわれない状態で、直ちに限定サービス（ｌｉｍｉｔｅｄ  ｓｅｒｖｉｃｅ）のためのキャンプオン処理を開始する。
【００１３】
すなわち、端末１０は、ノーマルサービスの提供を受けるためのネットワーク登録手続きにおいて獲得される情報を有しないまま、緊急コールを支援するＰＬＭＮおよび基地局を探さなければならないため、緊急コールの発生時に不要な緊急コール要請過程を何回も行って緊急コールの呼設定（ｃａｌｌ  ｓｅｔｕｐ）が遅れてしまうという問題がある。
【発明の概要】
【発明が解決しようとする課題】
【００１４】
本発明は、各ＰＬＭＮの緊急コールに対するポリシー情報を予め受信し、ポリシー情報を用いて緊急コールを支援するＰＬＭＮおよび基地局を選択する移動通信端末の緊急コール支援方法およびその移動通信端末を提供することにある。
【００１５】
また、本発明は、既存のブロードキャストパケットによりポリシー情報を受信することによって、既存の移動通信システムに適用可能な移動通信端末の緊急コール支援方法およびその移動通信端末を提供することにある。
【課題を解決するための手段】
【００１６】
本発明の一実施形態に係る移動通信端末の緊急コール支援方法によれば、各公衆陸上移動通信網から緊急コールに関する情報を受信し、端末の現在の状態に応じて公衆陸上移動通信網から限定サービスを得るために前記公衆陸上移動通信網の基地局にキャンプオンが必要か否かを判断し、前記限定サービスを得るためにキャンプオンが必要であると判断されれば、前記情報に基づいて前記移動通信端末のために緊急コールを支援する公衆陸上移動通信網を選択し、前記選択された公衆陸上移動通信網の基地局にキャンプオンすること、を含む。
【００１７】
また、本発明の一実施形態に係る移動通信端末の緊急コール支援方法によれば、前記情報は、ブロードキャストチャネルを介して受信してもよい。
【００１８】
また、本発明の一実施形態に係る移動通信端末の緊急コール支援方法によれば、前記情報は、各公衆陸上移動通信網の緊急コール支援の有無、支援時に許容する移動通信端末の種類、支援可能な移動通信端末の数のうち少なくとも１つを含んでもよい。
【００１９】
また、本発明の一実施形態に係る移動通信端末の緊急コール支援方法によれば、前記移動通信端末の種類は、現在の通信ネットワークに登録を成功してノーマルサービスが提供されるノーマル端末、現在の通信ネットワークに登録は失敗したが有効ＩＭＳＩ情報を有する有効ＩＭＳＩ端末、ＳＩＭカードが取り付けられていない端末、有効でないＳＩＭカードが取り付けられた端末のうち少なくとも１つ以上を含んでもよい。
【００２０】
また、本発明の一実施形態に係る移動端末の緊急コール支援方法によれば、前記公衆陸上移動通信網を選択することは、前記選択された公衆陸上移動通信網の基地局が複数である場合、信号の受信強度が最も大きい基地局にキャンプオンしてもよい。
【００２１】
本発明の一実施形態に係る移動通信端末によれば、各公衆陸上移動通信網から緊急コールの情報を受信する受信部と、移動通信端末の現在の状態に応じて限定サービスを得るための前記公衆陸上移動通信網の基地局にキャンプオンが必要か否かを判断する判断部と、前記受信された情報に基づいて前記移動通信端末を許容して緊急コールを支援する公衆陸上移動通信網を選択する選択処理部と、前記選択された公衆陸上移動通信網の基地局にキャンプオンするキャンプオン処理部と、を含む。
【００２２】
また、本発明の一実施形態に係る移動通信端末によれば、前記受信部は、前記情報は、ブロードキャストチャネルを介して受信してもよい。
【００２３】
また、本発明の一実施形態に係る移動通信端末によれば、前記情報は、各公衆陸上移動通信網の緊急コール支援の有無、支援時に許容する移動通信端末の種類、支援可能な移動通信端末の数のうち少なくとも１つを含んでもよい。
【００２４】
また、本発明の一実施形態に係る移動通信端末によれば、前記移動通信端末の種類は、現在の通信ネットワークに登録を成功してノーマルサービスが提供されるノーマル端末、ネットワーク登録には失敗したが有効ＩＭＳＩ情報を有する有効ＩＭＳＩ端末、ＳＩＭカードが取り付けられていない端末、有効でないＳＩＭカードが取り付けられた端末のうち少なくとも１つ以上を含んでもよい。
【００２５】
また、本発明の一実施形態に係る移動通信端末によれば、前記キャンプオン処理部は、前記選択された公衆陸上移動通信網の基地局が複数である場合、信号の受信強度が最も大きい基地局を前記キャンプオンする基地局に決めてもよい。
【発明の効果】
【００２６】
本発明によれば、移動通信端末は各公衆陸上移動通信網の緊急コールに対する情報を予め獲得し、緊急コールを支援する公衆陸上移動通信網およびその基地局を選択してキャンプオンすることによって、緊急コールの成功率および呼設定（ｃａｌｌ  ｓｅｔｕｐ）の時間を短縮することができる。
【００２７】
特に、移動通信端末は有効でないＳＩＭカードを取り付けた場合、既存の緊急コールのための緊急コールのための登録（ｅｍｅｒｇｅｎｃｙ  ａｔｔａｃｈ）の過程において獲得される情報の代わりに、予め各公衆陸上移動通信網から受信した緊急コールに対する情報を用いることによって、別の要請および登録の失敗過程を経ることなく緊急コールを支援する公衆陸上移動通信網およびその基地局を探すことができる。
【００２８】
さらに、情報は、基地局の既存ブロードキャストパケットにより受信するため、既存の移動通信システムの適用が可能である。
【図面の簡単な説明】
【００２９】
【図１】従来の移動通信端末が適用された通信ネットワークの一例を示す図である。
【図２】本発明の一実施形態に係る移動通信端末の構成を示すブロック図である。
【図３】本発明の一実施形態に係る緊急コール支援方法を示すフローチャートである。
【図４】本発明の一実施形態に係る緊急コール支援方法を示すフローチャートである。
【図５】本発明の一実施形態に係る緊急コール支援方法を示すフローチャートである。
【図６】本発明の一実施形態に係る緊急コール支援方法が適用された通信ネットワークの一例を示す図である。
【発明を実施するための形態】
【００３０】
以下、添付の図面を参照して本発明の実施形態を説明する。本発明を説明するにあたり、関連した公知な機能または構成に対する具体的な説明が本発明の要旨を不要に曖昧にすると判断される場合、その詳細な説明を省略する。また、本明細書で用いられる用語（ｔｅｒｍｉｎｏｌｏｇｙ）は本発明の好適な実施形態を適切に表現するために用いられる用語であって、この用語はユーザ、運用者の意図または本発明が属する技術分野の慣例などによって異なってもよい。したがって、本用語に対する定義は本明細書の全般にわたる内容に基づいて下されなければならない。
【００３１】
図２は、本発明の一実施形態に係る移動通信端末１００の構成を示す図である。
【００３２】
図２に示すように、移動通信端末１００は、受信部１１０、判断部１２０、ノーマルサービス処理部１３０、コール処理部１４０、限定サービス処理部１５０を含む。
【００３３】
まず、受信部１１０は、移動通信ネットワークからブロードキャストチャネルを介して緊急コールに対するポリシー情報(Ｐｏｌｉｃｙ  Ｉｎｆｐｒｍａｔｉｏｎ)を受信する。
【００３４】
このとき、ポリシー情報は、複数のＰＬＭＮ（Ｐｕｂｌｉｃ  Ｌａｎｄ  Ｍｏｂｉｌｅ  Ｎｅｔｗｏｒｋ：公衆陸上移動通信網）の図６に示す複数の基地局２００〜５００から受信するものであり、各ＰＬＭＮの緊急コール支援の有無、各ＰＬＭＮの緊急コールの支援時に許容する端末の種類（例えば、ノーマル端末、有効ＩＭＳＩ端末、その他）、支援可能な端末の数などを含んでもよい。
【００３５】
判断部１２０は、移動通信端末１００の現在の状態に応じて限定サービスを得るためのキャンプオン必要性を判断する。
【００３６】
具体的には、判断部１２０は、現在の移動通信端末１００に有効なＳＩＭカードが取り付けられているか否かを判断して、有効なＳＩＭカードが取り付けられていない場合、キャンプオンが必要であると判断する。
【００３７】
したがって、判断部１２０は、移動通信端末１００の電源がＯＮされれば、移動通信端末１００に取り付けられたＳＩＭカードにアクセスし、ＳＩＭカードが取り付けられているか否か、およびＳＩＭカードの有効性を判断することができる。
【００３８】
また、判断部１２０は、移動通信端末１００が現在の通信ネットワークで使用可能であるが、未納料金があると判断され、あるいは現在の通信ネットワークで使用されないＳＩＭカード（例えば、外国通信ネットワークのＳＩＭカード）などの理由によって現在の通信ネットワークに対する登録が失敗（ｆａｉｌ）する場合、移動通信端末１００に取り付けられた現在のＳＩＭカードの有効性がないものと見なしてもよい。
【００３９】
また、判断部１２０は、移動通信端末１００の現在の通信ネットワークへの登録過程において受信される情報に基づいて、移動通信端末１００がノーマル端末あるいは有効ＩＭＳＩ端末か否かに関する情報を取得してもよい。判断部１２０は、端末の種類情報として、ノーマル端末、有効ＩＭＳＩ端末、その他の端末のいずれか１つを示す情報を取得してもよい。
【００４０】
ここで、ノーマル端末は、有効ＩＭＳＩを有し、ネットワーク登録に成功してノーマルサービスが提供される端末に該当する。有効ＩＭＳＩ端末は、有効ＩＭＳＩ値を有するＳＩＭカードが取り付けられているが、ネットワーク登録に失敗した端末が該当する。
【００４１】
ノーマルサービス処理部１３０は、判断部１２０によって有効なＳＩＭカードが取り付けられたと判断される場合、ノーマルサービスのためのＰＬＭＮの選択手続き（ＰＬＭＮ（Ｐｕｂｌｉｃ  Ｌａｎｄ  Ｍｏｂｉｌｅ  Ｎｅｔｗｏｒｋ：公衆陸上移動通信網）  ｓｅｌｅｃｔｉｏｎ  ｐｒｏｃｅｓｓ）および選択されたＰＬＭＮの基地局にキャンプオンして通信ネットワークに移動通信端末１００の登録（ｒｅｇｉｓｔｒａｔｉｏｎ）手続きを行う。
【００４２】
コール処理部１４０は、ユーザの要請に応じてノーマルサービス処理部１３０または限定サービス処理部１５０によって接続される基地局とのノーマルサービスまたは限定サービスのコール動作を行う。
【００４３】
一方、限定サービス処理部１５０は、判断部１２０によって有効なＳＩＭカードが移動通信端末１００に取り付けられていないと判断され、あるいはノーマルサービス処理部１３０の端末登録過程が失敗した場合、ポリシー情報に基づいてして移動通信端末１００のための緊急コールを支援するＰＬＭＮを選択し、選択したＰＬＭＮの基地局にキャンプオンする。
【００４４】
この選択処理及びキャンプオン処理のために、限定サービス処理部１５０は、選択処理部１５１及びキャンプオン処理部１５２を含んでもよい。
【００４５】
選択処理部１５１は、受信部１１０によって受信された各ＰＬＭＮの緊急コールに対するポリシー情報を用いて、現在の移動通信端末１００のために緊急コールを支援するＰＬＭＮを選択する。
【００４６】
選択処理部１５１は、現在の移動通信端末１００の種類が有効ＩＭＳＩ端末である場合、有効ＩＭＳＩ端末のために緊急コールを支援するＰＬＭＮ、あるいは全ての端末に緊急コールを支援するＰＬＭＮのいずれか１つを選択する。また、選択処理部１５１は、現在の移動通信端末１００の種類が他の端末である場合は、全ての種類の端末のために緊急コールを支援するＰＬＭＮを選択してもよい。
【００４７】
キャンプオン処理部１５２は、選択処理部１５１によって選択されるＰＬＭＮの基地局にキャンプオンする。このとき、キャンプオン処理部１５２は、選択処理部１５１によって選択されたＰＬＭＮに複数の基地局が含まれる場合、複数の基地局のうち信号の受信強度が最も大きい基地局をキャンプオンする基地局として選択してもよい。
【００４８】
図３〜図５は、本発明の一実施形態に係る緊急コール支援方法を示すフローチャートである。
【００４９】
図３に示すように、受信部１１０は、まず各ＰＬＭＮ(１)〜(４)(図６参照)の基地局２００〜５００から緊急コールに対するポリシー情報を受信する（ステップＳ１００）。
【００５０】
その後、判断部１２０は、現在の移動通信端末１００の状態に基づいて限定サービスのためのキャンプオンが必要であるかを判断する（ステップＳ２００）。このために、判断部１２０は、移動通信端末１００に有効なＳＩＭカードが取り付けられていない場合、あるいはノーマルサービスの処理中にネットワーク登録が失敗した場合に、限定サービスのためのキャンプオンが必要であると判断する。
【００５１】
ここで、ステップＳ２００は、図４に示すように複数の動作が含まれてもよい。
【００５２】
図４に示すように、判断部１２０は、移動通信端末１００に有効なＳＩＭカードが取り付けられたか否かを判断する（ステップＳ２１０）。
【００５３】
ステップＳ２１０の判断結果、有効なＳＩＭカードが取り付けられていない場合、判断部１２０は、移動通信端末１００は限定サービスのためのキャンプオンが必要であると判断する。
【００５４】
ステップＳ２１０の判断結果、有効なＳＩＭカードが取り付けられた場合、ノーマルサービス処理部１３０は、ノーマルサービスのためのＰＬＭＮの選択手続き（ＰＬＭＮ  ｓｅｌｅｃｔｉｏｎ  ｐｒｏｃｅｓｓ）およびノーマルサービス登録手続きを行う（ステップＳ２２０）。
【００５５】
その後、判断部１２０は、ステップＳ２２０におけるノーマルサービス登録手続きが成功したか否かを判断する（Ｓ２３０）。
【００５６】
ステップＳ２３０の判断結果、登録手続きが成功した場合、ノーマルサービス処理部１３０およびコール処理部１４０は正常コール処理の動作を行う（ステップＳ５００）。
【００５７】
一方、ステップＳ２３０の判断結果、登録手続きが成功しなかった場合、移動通信端末１００は限定サービスのためのキャンプオンが必要であると判断する。
【００５８】
また、判断部１２０は、移動通信端末１００のネットワーク登録過程において受信される情報により端末の種類（ノーマルモード端末、有効ＩＭＳＩ端末、その他）に関する情報を取得してもよい。
【００５９】
したがって、ステップＳ２００の判断結果、移動通信端末１００は限定サービスのためのキャンプオンが必要であると判断されれば、選択処理部１５１はステップＳ１００において受信されたポリシー情報に基づいて移動通信端末１００のために緊急コールを支援するＰＬＭＮを検索して選択する（ステップＳ３００）。ステップＳ３００は、図５に示すように複数の動作が含まれてもよい。
【００６０】
図５に示すように、選択処理部１５１は移動通信端末１００が有効ＩＭＳＩ端末であるかを判断する（ステップＳ３１０）。
【００６１】
ステップＳ３１０の判断結果、移動通信端末１００が有効ＩＭＳＩ端末である場合、選択処理部１５１は、ポリシー情報に基づいて有効ＩＭＳＩ端末のために緊急コールを支援するＰＬＭＮを選択する（ステップＳ３２０）。
【００６２】
ステップＳ３１０の判断結果、端末１００が有効ＩＭＳＩ端末ではない場合、選択処理部１５１はポリシー情報に基づいて全ての端末のために緊急コールを支援するＰＬＭＮを選択する（ステップＳ３３０）。
【００６３】
一方、キャンプオン処理部１５２は、ステップＳ３００において選択処理部１５１によって選択されるＰＬＭＮの基地局にキャンプオンする（ステップＳ４００）。
【００６４】
このとき、選択されるＰＬＭＮに複数の基地局が含まれる場合、キャンプオン処理部１５２は、複数の基地局のうち信号の受信強度が最も大きい基地局にキャンプオンしてもよい。
【００６５】
また、コール処理部１４０は、ステップＳ４００によってキャンプオンされた基地局にユーザの要請に応じて緊急コールを行う(ステップＳ５００)。
【００６６】
図６は、本発明の一実施形態に係る緊急コール支援方法が適用された通信ネットワークの一例を示す図である。また、図６に示す移動通信端末１００は、有効なＳＩＭカードが取り付けられないか、あるいは有効ＩＭＳＩ端末ではない場合であると仮定する。
【００６７】
図６に示すように、移動通信端末１００はステップＳ１００において各ＰＬＭＮ(１)〜ＰＬＭＮ(４)からポリシー情報を受信して、ステップＳ２００およびステップＳ３００において全ての種類の端末のために緊急コールを支援するＰＬＭＮ(４)を選択する。
【００６８】
したがって、移動通信端末１００は、緊急コールのための登録要請メッセージを選択されたＰＬＭＮ(４)の基地局に送信すれば、そのＰＬＭＮ(４)の基地局から緊急コールのための登録許可メッセージを受信して、その後の限定サービスの要請および許可において、以前のようなＰＬＭＮのポリシーによる失敗は発生しない。
【００６９】
本発明に係る方法は、たとえ限定された実施形態と図面によって説明したが、本発明は、前記の実施形態に限定されることなく、本発明が属する技術分野における通常の知識を有する者であれば、このような構成から多様な修正および変形が可能である。したがって、本発明の範囲は上述の実施形態に限定されるものではなく、後述する特許請求の範囲だけでなく、この特許請求の範囲と均等なものなどによって定められなければならない。
【符号の説明】
【００７０】
１０      移動通信端末
２０〜５０、２００〜５００      基地局
１００      移動通信端末
１１０      受信部
１２０      判断部
１３０      ノーマルサービス処理部
１４０      コール処理部
１５０      限定サービス処理部
１５１      選択処理部
１５２      キャンプオン処理部
２００〜５００      ＰＬＭＮ(１)〜ＰＬＭＮ(４)
【図１】
2011125002.tif 000003
【図２】
2011125002.tif 000004
【図３】
2011125002.tif 000005
【図４】
2011125002.tif 000006
【図５】
2011125002.tif 000007
【図６】
2011125002.tif 000008